(57)【要約】【課題】少数の入出力ＩＦで、複数種のクライアント信号を収容するトランスポンダを実現する集積回路を提供する。【解決手段】送受信用集積回路（１００，２００）は、各々のビットレートが１０Ｇｂｐｓの１０個のクライアント信号入出力用ＩＦ（１０）と、ビットレートが１００Ｇｂｐｓのライン信号入出力用ＩＦ（１４）と、１０個のクライアント信号入出力用ＩＦを介して入出力される１００Ｇｂｐｓのクライアント信号とライン信号との間の信号変換を行う第１の信号変換手段（２０，６０）と、４個を介して入出力される４０Ｇｂｐｓのクライアント信号とライン信号との間の信号変換を行う手段（３０，４０，６０）及びクライアント信号入出力用ＩＦを介して入出力される１０Ｇｂｐｓのクライアント信号とライン信号との間の信号変換を行う手段（４２，６０）を有する第２の信号変換手段と、第１又は第２の信号変換手段を選択する選択手段（７０，７２，５０）とを備えた。【選択図】図１
2014096710.tif 000002
【特許請求の範囲】
【請求項１】
クライアント信号を入出力するための、各々のビットレートがＭＧｂｐｓのｎ個のＭＧｂｐｓ入出力インターフェース（１０ａ，１０ｂ）と、
ライン信号を入出力するための、ビットレートがＮＧｂｐｓのＮＧｂｐｓ入出力インターフェース（１４ａ，１４ｂ）と、
前記ｎ個のＭＧｂｐｓ入出力インターフェースを介して入出力されるｎ×ＭＧｂｐｓのクライアント信号と前記ライン信号との間の信号変換を行う第１の信号変換手段（２０ａ／２０ｂ，６０ａ／６０ｂ）と、
前記ｎ個のＭＧｂｐｓ入出力インターフェースを介して入出力されるビットレートがｎ×ＭＧｂｐｓより小さいクライアント信号と前記ライン信号との間の信号変換を行う第２の信号変換手段と、
前記第１の信号変換手段又は前記第２の信号変換手段を選択する選択手段（７０，７２，５０）と
を備えたことを特徴とする送受信用集積回路（１００，２００）。
【請求項２】
前記第２の信号変換手段は、前記ｎ個のＭＧｂｐｓ入出力インターフェースのうちのａ個を介して入出力されるビットレートがａ×ＭＧｂｐｓのクライアント信号と前記ライン信号との間の信号変換を行う手段（３０ａ／３０ｂ，４０ａ／４０ｂ，６０ａ／６０ｂ）であることを特徴とする請求項１に記載の送受信用集積回路（１００，２００）。
【請求項３】
前記第２の信号変換手段は、前記ｎ個のＭＧｂｐｓ入出力インターフェースのうちの１つ又は複数を介して入出力されるビットレートがＭＧｂｐｓのクライアント信号と前記ライン信号との間の信号変換を行う手段（４２ａ／４２ｂ，６０ａ／６０ｂ）であることを特徴とする請求項１に記載の送受信用集積回路（１００，２００）。
【請求項４】
前記第２の信号変換手段は、前記ｎ個のＭＧｂｐｓ入出力インターフェースのうちのａ個を介して入出力されるビットレートがａ×ＭＧｂｐｓのクライアント信号と前記ライン信号との間の信号変換を行う手段（３０ａ／３０ｂ，４０ａ／４０ｂ，６０ａ／６０ｂ）及び前記ｎ個のＭＧｂｐｓ入出力インターフェースのうちの１つ又は複数を介して入出力されるビットレートがＭＧｂｐｓのクライアント信号と前記ライン信号との間の信号変換を行う手段（４２ａ／４２ｂ，６０ａ／６０ｂ）であることを特徴とする請求項１に記載の送受信用集積回路（１００，２００）。
【請求項５】
前記ｎ個のＭＧｂｐｓ入出力インターフェースとは別に、ビットレートがａ×ＭＧｂｐｓのクライアント信号を入出力するためのａ×ＭＧｂｐｓ入出力インターフェース（１２ａ，１２ｂ）をさらに備え、
前記第２の信号変換手段は、前記ｎ個のＭＧｂｐｓ入出力インターフェースのうちのａ個及び前記ａ×ＭＧｂｐｓ入出力インターフェースを介してそれぞれ入出力されるビットレートがａ×ＭＧｂｐｓのクライアント信号と、前記ライン信号との間の信号変換を行う手段（３０ａ／３０ｂ，４０ａ／４０ｂ，６０ａ／６０ｂ）であることを特徴とする請求項１、２又は４に記載の送受信用集積回路（１００）。
【請求項６】
前記第２の信号変換手段は、前記ｎ個のＭＧｂｐｓ入出力インターフェースのうちの２ａ個を介して入出力されるビットレートがａ×ＭＧｂｐｓの２つのクライアント信号と前記ライン信号との間の信号変換を行う手段（３０ａ／３０ｂ，４０ａ／４０ｂ，６０ａ／６０ｂ）を含むことを特徴とする請求項２又は４に記載の送受信用集積回路（２００）。
【請求項７】
Ｍ＝１０，Ｎ＝１００，ｎ＝１０であることを特徴とする請求項１乃至６のいずれかに記載の送受信用集積回路。
【請求項８】
Ｍ＝１０，Ｎ＝１００，ｎ＝１０，ａ＝４であることを特徴とする請求項２、４、５又は６に記載の送受信用集積回路。
【発明の詳細な説明】
【技術分野】
【０００１】
本発明は、送受信用集積回路に関し、より詳細には、ビットレートの異なる１以上のクライアント信号を収容して伝送する光伝送システムの送受信用集積回路に関する。
【背景技術】
【０００２】
従来、ＳＯＮＥＴやＥｔｈｅｒｎｅｔ（登録商標）などのビットレートが数１０Ｇｂｐｓクラスのクライアント信号を収容して伝送する光伝送システムの開発が盛んに行われている。信号形式やビットレートが異なるクライアント信号を効率よく収容して送受信するためには、クライアント信号を処理する集積回路が不可欠である。
【先行技術文献】
【特許文献】
【０００３】
【特許文献１】特開２００８−９２４１０号公報（例えば、図１，２）
【発明の概要】
【発明が解決しようとする課題】
【０００４】
従来、ビットレートが１０Ｇｂｐｓのクライアント信号または４０Ｇｂｐｓのクライアント信号を、ビットレートが４０Ｇｂｐｓのライン信号に収容するための送受信用集積回路が知られている（例えば、特許文献１参照）。
【０００５】
より具体的には、特許文献１の送受信用集積回路は、１０Ｇｂｐｓのクライアント信号を入出力するための４つの１０Ｇｂｐｓ入出力ＩＦと、４０Ｇｂｐｓのクライアント信号を入出力するための４０Ｇｂｐｓ入出力ＩＦとを備え、１０Ｇｂｐｓのクライアント信号を１０Ｇｂｐｓのライン信号に直接収容する１０Ｇｂｐｓトランスポンダ、４０Ｇｂｐｓのクライアント信号を４０Ｇｂｐｓのライン信号に直接収容する４０Ｇｂｐｓのトランスポンダ、または１０Ｇｂｐｓのクライアント信号４つを４０Ｇｂｐｓのライン信号に多重収容する４０Ｇｂｐｓの多重トランスポンダを実現することができる。
【０００６】
他方、ビットレートが１００Ｇｂｐｓのクライアント信号を、ビットレートが１００Ｇｂｐｓのライン信号に直接収容して伝送したいというニーズも高まっており、これを実現すべく研究開発も盛んに行われている。
【０００７】
特許文献１の送受信用集積回路の構成では、ライン信号に収容するクライアント信号のビットレートの種類に応じた入出力インターフェース（ＩＦ）を必要とする。したがって、１０Ｇｂｐｓのクライアント信号及び４０Ｇｂｐｓのクライアント信号に加え１００Ｇｂｐｓのクライアント信号を収容しようとすると、図３に示すように、ライン側の１００Ｇｂｐｓの入出力ＩＦの追加のみならず、１００Ｇｂｐｓのクライアント信号を入出力するための１００Ｇｂｐｓ入出力ＩＦの追加が必要となる。
【０００８】
より具体的には、図３に示す送受信用集積回路（３００）は、（ａ）に示す送信用集積回路（３００ａ）と（ｂ）に示す受信用集積回路（３００ｂ）から構成される。送信用集積回路（３００ａ）は、１００Ｇｂｐｓのクライアント信号を入力するための１００Ｇｂｐｓ高速ＩＦ（３１０ａ）と、４０Ｇｂｐｓのクライアント信号を入力するための２つの４０Ｇｂｐｓ高速ＩＦ（３１１ａ−１，３１１ａ−２）と、１０Ｇｂｐｓのクライアント信号を入力するための１０個の１０Ｇｂｐｓ高速ＩＦ（３１２ａ−１〜３１２ａ−１０）とを備える。１００Ｇｂｐｓのクライアント信号は、１０個の１０Ｇｂｐｓの信号列として、１０個の１０Ｇｂｐｓ高速ＩＦを介して並列に入力され、セレクタ３４０へ入力される。同様に４０Ｇｂｐｓのクライアント信号は、４個の１０Ｇｂｐｓの信号列として、４個の１０Ｇｂｐｓ高速ＩＦを介して並列に入力される（あるいは、４０Ｇｂｐｓのクライアント信号は、１６個の２．５Ｇｂｐｓの信号列として、１６個の２．５Ｇｂｐｓ高速ＩＦを介して並列に入力されるように送信用集積回路を構成してもよい）。２つの４０Ｇｂｐｓのクライアント信号は多重化回路（３２０ａ）により多重化されセレクタ（３４０）へ入力される。１０Ｇｂｐｓのクライアント信号は、それぞれ単一の１０Ｇｂｐｓの信号列として、１個の１０Ｇｂｐｓ高速ＩＦ（３１２ａ）を介して入力される。１０個の１０Ｇｂｐｓのクライアント信号は、多重化回路（３３０ａ）により多重化されてセレクタ（３４０）へ入力される。セレクタ（３４０）により選択された１００Ｇｂｐｓ信号がマッピング回路（３５０ａ）によりマッピングされ、ライン側の１００Ｇｂｐｓ高速ＩＦ（３６０ａ）へ出力される。
【０００９】
受信用集積回路（３００ｂ）は、ライン信号を入力するための１００Ｇｂｐｓ高速ＩＦ（３６０ｂ）を備える。１００Ｇｂｐｓライン信号は、上述した送信用集積回路（３００ａ）で出力された種類の１００Ｇｂｐｓ信号が入力される。入力された１００Ｇｂｐｓ信号は、デマッピング回路（３５０ｂ）により、デマッピングされ、（１）１０Ｇｂｐｓ×１０Ｌａｎｅの１００Ｇｂｐｓ高速ＩＦ（３１０ｂ）で出力されるか、（２）分離回路（３２０ｂ）により信号分離され、４０Ｇｂｐｓ高速ＩＦ（３１１ｂ−１，３１１ｂ−２）で出力されるか、（３）分離回路（３３０ｂ）により信号分離され、１０Ｇｂｐｓ高速ＩＦ（３１２ｂ−１〜３１２ｂ−１０）で出力される。
【００１０】
これにより、１つまたは２つの４０Ｇｂｐｓのクライアント信号をＯＴＵ４に収容する１００Ｇｂｐｓのトランスポンダを実現することも、１〜１０個の１０Ｇｂｐｓのクライアント信号をＯＴＵ４に収容する１００Ｇｂｐｓのトランスポンダを実現することも、１つの１００Ｇｂｐｓのクライアント信号をＯＴＵ４に収容する１００Ｇｂｐｓのトランスポンダを実現することもできる。
【００１１】
しかしながら、収容するクライアント信号の種類の増加に伴い入出力ＩＦの種類や数を増加させることは、集積回路面積の増大や集積回路の端子数の増加の要因となる。
【００１２】
本発明は、このような問題に鑑みてなされたもので、その目的とするところは、より少ない数の入出力ＩＦを備えた集積回路で、複数種のクライアント信号を収容するトランスポンダを実現する集積回路を提供することにある。
【課題を解決するための手段】
【００１３】
本発明は、このような目的を達成するために、請求項１に記載の発明は、送受信用集積回路（１００，２００）であって、クライアント信号を入出力するための、各々のビットレートがＭＧｂｐｓのｎ個のＭＧｂｐｓ入出力インターフェース（１０ａ，１０ｂ）と、ライン信号を入出力するための、ビットレートがＮＧｂｐｓのＮＧｂｐｓ入出力インターフェース（１４ａ，１４ｂ）と、前記ｎ個のＭＧｂｐｓ入出力インターフェースを介して入出力されるｎ×ＭＧｂｐｓのクライアント信号と前記ライン信号との間の信号変換を行う第１の信号変換手段（２０ａ／２０ｂ，６０ａ／６０ｂ）と、前記ｎ個のＭＧｂｐｓ入出力インターフェースを介して入出力されるビットレートがｎ×ＭＧｂｐｓより小さいクライアント信号と前記ライン信号との間の信号変換を行う第２の信号変換手段と、前記第１の信号変換手段又は前記第２の信号変換手段を選択する選択手段（７０，７２，５０）とを備えたことを特徴とする。
【００１４】
請求項２に記載の発明は、請求項１に記載の送受信用集積回路（１００，２００）であって、前記第２の信号変換手段は、前記ｎ個のＭＧｂｐｓ入出力インターフェースのうちのａ個を介して入出力されるビットレートがａ×ＭＧｂｐｓのクライアント信号と前記ライン信号との間の信号変換を行う手段（３０ａ／３０ｂ，４０ａ／４０ｂ，６０ａ／６０ｂ）であることを特徴とする。
【００１５】
請求項３に記載の発明は、請求項１に記載の送受信用集積回路（１００，２００）であって、前記第２の信号変換手段は、前記ｎ個のＭＧｂｐｓ入出力インターフェースのうちの１つ又は複数を介して入出力されるビットレートがＭＧｂｐｓのクライアント信号と前記ライン信号との間の信号変換を行う手段（４２ａ／４２ｂ，６０ａ／６０ｂ）であることを特徴とする。
【００１６】
請求項４に記載の発明は、請求項１に記載の送受信用集積回路（１００，２００）であって、前記第２の信号変換手段は、前記ｎ個のＭＧｂｐｓ入出力インターフェースのうちのａ個を介して入出力されるビットレートがａ×ＭＧｂｐｓのクライアント信号と前記ライン信号との間の信号変換を行う手段（３０ａ／３０ｂ，４０ａ／４０ｂ，６０ａ／６０ｂ）及び前記ｎ個のＭＧｂｐｓ入出力インターフェースのうちの１つ又は複数を介して入出力されるビットレートがＭＧｂｐｓのクライアント信号と前記ライン信号との間の信号変換を行う手段（４２ａ／４２ｂ，６０ａ／６０ｂ）であることを特徴とする。
【００１７】
請求項５に記載の発明は、請求項１、２又は４に記載の送受信用集積回路（１００）であって、前記ｎ個のＭＧｂｐｓ入出力インターフェースとは別に、ビットレートがａ×ＭＧｂｐｓのクライアント信号を入出力するためのａ×ＭＧｂｐｓ入出力インターフェース（１２ａ，１２ｂ）をさらに備え、前記第２の信号変換手段は、前記ｎ個のＭＧｂｐｓ入出力インターフェースのうちのａ個及び前記ａ×ＭＧｂｐｓ入出力インターフェースを介してそれぞれ入出力されるビットレートがａ×ＭＧｂｐｓのクライアント信号と、前記ライン信号との間の信号変換を行う手段（３０ａ／３０ｂ，４０ａ／４０ｂ，６０ａ／６０ｂ）であることを特徴とする。
【００１８】
請求項６に記載の発明は、請求項２又は４に記載の送受信用集積回路（２００）であって、前記第２の信号変換手段は、前記ｎ個のＭＧｂｐｓ入出力インターフェースのうちの２ａ個を介して入出力されるビットレートがａ×ＭＧｂｐｓの２つのクライアント信号と前記ライン信号との間の信号変換を行う手段（３０ａ／３０ｂ，４０ａ／４０ｂ，６０ａ／６０ｂ）を含むことを特徴とする。
【００１９】
請求項７に記載の発明は、請求項１乃至６のいずれかに記載の送受信用集積回路であって、Ｍ＝１０，Ｎ＝１００，ｎ＝１０であることを特徴とする。
【００２０】
請求項８に記載の発明は、請求項２、４、５又は６に記載の送受信用集積回路であって、Ｍ＝１０，Ｎ＝１００，ｎ＝１０，ａ＝４であることを特徴とする。
【発明の効果】
【００２１】
以上説明したように、本発明によれば、同一の入出力ＩＦから各種ビットレートのクライアント信号を入出力するようにすることで、より少ない数の入出力ＩＦを備えた集積回路で、複数種のクライアント信号を収容するトランスポンダを実現する集積回路を提供することができる。
【００２２】
例えば、１〜１０の１０Ｇｂｐｓクライアント信号を収容する１００Ｇｂｐｓのトランスポンダと、４０Ｇｂｐｓのクライアント信号を２つ収容する１００Ｇｂｐｓのトランスポンダと、１００Ｇｂｐｓのクライアント信号を収容する１００Ｇｂｐｓのトランスポンダとを実現することが可能になる。
【図面の簡単な説明】
【００２３】
【図１】本発明の一実施形態にかかる送受信用集積回路を示す構成図である。
【図２】本発明の一実施形態にかかる送受信用集積回路を示す構成図である。
【図３】本発明の課題を説明するための送受信用集積回路を示す図であるである。
【発明を実施するための形態】
【００２４】
以下、図面を参照しながら本発明の光伝送システムの送受信用集積回路の実施形態について詳細に説明する。本実施形態の送受信用集積回路は、同一の入出力インターフェース（ＩＦ）を介して各種ビットレートのクライアント信号を入出力するように構成されたことを特徴とする。すなわち、本実施形態の送受信用集積回路は、入出力するクライアント信号のビットレート毎の個別の入出力ＩＦ（すなわち、特定のビットレートのクライアント信号専用の入出力ＩＦ）を設ける代わりに、入出力ＩＦを種々のビットレートのクライアント信号を入出力するために用いるように構成されている。
【００２５】
本実施形態において、Ｍはクライアント側の入出力ＩＦ（１０ａ，１０ｂ）のビットレート（Ｇｂｐｓ）を、Ｎはライン側（光ネットワーク側）の入出力ＩＦ（１４ａ，１４ｂ）のビットレート（Ｇｂｐｓ）を、ｎはＭＧｂｐｓの入出力ＩＦの数（Ｎ／Ｍ以上の整数）を示す。ａは、送受信用集積回路（１００，２００）との間で入出力されるａ×ＭＧｂｐｓのクライアント信号を入出力する際に使用する入出力ＩＦ（１０ａ，１０ｂ）の数を示す。
【００２６】
本願発明はこれに限定されるものでは無いが、以下、Ｍ＝１０、Ｎ＝１００、ｎ＝１０、ａ＝４として説明する。
【００２７】
図１および２に示す送受信用集積回路（１００，２００）は、クライアント信号を入出力するための、各々のビットレートが１０Ｇｂｐｓである１０個の１０Ｇｂｐｓ入出力ＩＦ（１０ａ，１０ｂ）と、ライン信号を入出力するための、ビットレートがＮＧｂｐｓのＮＧｂｐｓ入出力ＩＦ（１４ａ，１４ｂ）とを備える。
【００２８】
また、送受信用集積回路（１００，２００）は、１０Ｇｂｐｓ入出力ＩＦ（１０ａ，１０ｂ）と１００Ｇｂｐｓ入出力ＩＦ（１４ａ，１４ｂ）との間に、１０Ｇｂｐｓ×１０Ｌａｎｅ回路（２０ａ，２０ｂ）及びＯＴＵ４マッピング／デマッピング回路（６０ａ／６０ｂ）を備え、これらは１０個の１０Ｇｂｐｓ入出力ＩＦを介して並列に入出力される１００Ｇｂｐｓのクライアント信号とライン信号との間の信号変換を行う第１の信号変換手段を構成する。これに対して、ここでは、ｎ個のＭＧｂｐｓ入出力ＩＦを介して入出力されるビットレートがｎ×ＭＧｐｓより小さいクライアント信号とＮＧｂｐｓのライン信号との間の信号変換を行う手段を第２の信号変換手段という。
【００２９】
また、送受信用集積回路（１００，２００）は、１０Ｇｂｐｓ入出力ＩＦ（１０ａ，１０ｂ）と１００Ｇｂｐｓ入出力ＩＦ（１４ａ，１４ｂ）との間に、１０Ｇｂｐｓ×４Ｌａｎｅ回路（３０ａ，３０ｂ）と、ＯＤＴＵ４．３１多重／分離回路（４０ａ／４０ｂ）とを備え、これらは前述したＯＴＵ４マッピング／デマッピング回路（６０ａ／６０ｂ）と共に４個のＭＧｂｐｓ入出力インターフェース介して並列に入出力されるビットレートが４０Ｇｂｐｓのクライアント信号とライン信号との間の信号変換を行う手段を構成する。この手段は、上述した第２の信号変換手段に含まれる。
【００３０】
また、送受信用集積回路（１００，２００）は、１０Ｇｂｐｓ入出力ＩＦ（１０ａ，１０ｂ）と１００Ｇｂｐｓ入出力ＩＦ（１４ａ，１４ｂ）との間に、ＯＤＴＵ４．８多重／分離回路（４２ａ／４２ｂ）を備え、これはＯＴＵ４マッピング／デマッピング回路（６０ａ／６０ｂ）と共に１０個のＭＧｂｐｓ入出力インターフェースのうちのいずれかを介して入出力されるビットレートが１０Ｇｂｐｓの１つ又は複数のクライアント信号とライン信号との間の信号変換を行う手段を構成する。この手段は、上述した第２の信号変換手段に含まれる。
【００３１】
また、送受信用集積回路（１００，２００）は、１０Ｇｂｐｓ×１０Ｌａｎｅ回路（２０ａ）、ＯＤＴＵ４．３１多重回路（４０ａ）及びＯＤＴＵ４．８多重回路（４２ａ）と１００Ｇｂｐｓ出力ＩＦ（１４ａ）との間の信号経路を選択するためのセレクタ（５０）を備える。さらに、送受信用集積回路（１００，２００）は、１０Ｇｂｐｓ×１０Ｌａｎｅ回路（２０ｂ）、１０Ｇｂｐｓ×４Ｌａｎｅ回路（３０ｂ）及びＯＤＴＵ４．８分離回路（４２ｂ）と１０Ｇｂｐｓ出力ＩＦ（１０ｂ）との間の信号経路を選択するためのセレクタ（７０，７２）を備える。これらのセレクタ（７０，７２，５０）は第１の信号変換手段又は前記第２の信号変換手段を選択する選択手段を構成する。
【００３２】
１０Ｇｂｐｓ入出力Ｉ／Ｆ（１０ａ，１０ｂ）は、送受信用集積回路の外部との間で端子（ピン）を介してシリアルに１０Ｇｂｐｓの信号（クライアント信号の一部または全部に相当する信号）を入出力する。また、送受信用集積回路の内部の他の構成要素との間で１０Ｇｂｐｓの信号をパラレルに入出力する（例えば、３２ｂｉｔ×３５０ＭＨｚ）。送受信用集積回路は、１０Ｇｂｐｓのクライアント信号は１つの入出力ＩＦ（１０ａ，１０ｂ）を介して入出力することができ、４０Ｇｂｐｓのクライアント信号は４個の１０Ｇｂｐｓ入出力ＩＦ（１０ａ−７〜１０ａ−１０，１０ｂ−７〜１０ｂ−１０）を介して入出力することができ、１００Ｇｂｐｓのクライアント信号を１０個の入出力ＩＦ（１０ａ−１〜１０ａ−１０，１０ｂ−１〜１０ｂ−１０）を介して入出力することができる。また、送受信用集積回路は、２つの入出力ＩＦ（１０ａ，１０ｂ）を用いて、各々１０Ｇｂｐｓのクライアント信号（合計２０Ｇｂｐｓのクライアント信号）を入出力することができる。同様に、送受信用集積回路は、４つの入出力ＩＦからなる組を２組（１０ａ−３〜１０ａ−６，１０ａ−７〜１０ａ−１０，１０ｂ−３〜１０ｂ−６，１０ｂ−７〜１０ｂ−１０）用いて、各々４０Ｇｂｐｓのクライアント信号（合計８０Ｇｂｐｓのクライアント信号）を入出力することができる。
【００３３】
１０Ｇｂｐｓ×１０Ｌａｎｅ回路（２０ａ）は、１０個の１０Ｇｂｐｓ入力ＩＦ（１０ａ−１〜１０ａ−１０）を介して入力された１００Ｇｂｐｓのクライアント信号の並べ替えを行う。並べ替えた信号はＯＴＵ４マッピング回路（６０ａ）でマッピング処理される。また、１０Ｇｂｐｓ×１０Ｌａｎｅ回路（２０ｂ）は、ＯＴＵ４デマッピング回路（６０ｂ）でデマッピング処理された１００Ｇｂｐｓの信号の並べ替えを行う。並べ替えられた信号は、１０個の出力ＩＦ（１０ｂ−１〜１０ｂ−１０）から出力される。
【００３４】
１０Ｇｂｐｓ×４Ｌａｎｅ回路（３０ａ，３２ａ）は、４個の入力ＩＦ（１０ａ−３〜１０ａ−６、１０ａ−７〜１０ａ−１０）を介して入力された４０Ｇｂｐｓのクライアント信号の並べ替えを行う。並べ替えられた信号は、ＯＤＴＵ４．３１多重回路（４０ａ）で多重処理され、ＯＴＵ４マッピング回路（６０ａ）でマッピング処理される。また、１０Ｇｂｐｓ×４Ｌａｎｅ回路（３０ｂ，３２ｂ）は、１００Ｇｂｐｓのライン信号がＯＴＵ４デマッピング回路（６０ｂ）でデマッピング処理された後にＯＤＴＵ４．３１分離回路（４０ｂ）で分離処理された４０Ｇｂｐｓの信号の並べ替えを行う。並べ替えられた信号は、４個の出力ＩＦ（１０ｂ−３〜１０ｂ−６，１０ｂ−７〜１０ｂ−１０）から出力される。
【００３５】
ＯＤＴＵ４．３１多重回路（４０ａ）は、１０Ｇｂｐｓ×４Ｌａｎｅ回路（３０ａ，３２ａ）で処理された信号に対してＩＴＵ−Ｔ勧告Ｇ．７０９に規定されたＯＤＴＵＧ４／ＯＤＴＵ４．３１の多重、マッピング処理を行う。マッピング処理された信号は、さらにＯＴＵ４マッピング回路（６０ａ）でマッピング処理される。また、ＯＤＴＵ４．３１分離回路（４０ｂ）は、ＯＴＵ４デマッピング回路（６０ｂ）でデマッピング処理された信号に対してＯＤＵＴＧ４／ＯＤＴＵ４．３１の分離、デマッピング処理を行う。デマッピング処理された信号は、１０Ｇｂｐｓ×４Ｌａｎｅ（３０ｂ，３２ｂ）で処理される。
【００３６】
ＯＤＴＵ４．８多重回路（４２ａ）は、１０Ｇｂｐｓ入力ＩＦ（１０ａ）を介して入力された１０Ｇｂｐｓのクライアント信号に対してＩＴＵ−Ｔ勧告Ｇ．７０９に規定されたＯＤＴＵＧ４／ＯＤＴＵ４．８の多重、マッピング処理を行う。マッピング処理された信号は、さらにＯＴＵ４マッピング回路（６０ａ）でマッピング処理される。また、ＯＤＴＵ４．８分離回路（４２ｂ）は、ＯＴＵ４デマッピング回路（６０ｂ）でデマッピング処理された信号に対してＯＤＴＵＧ４／ＯＤＴＵ４．３１の分離、デマッピング処理を行う。デマッピング処理された信号は、１０Ｇｂｐｓ出力ＩＦ（１０ｂ）から出力される。
【００３７】
ＯＴＵ４マッピング回路（６０ａ）は、１０Ｇｂｐｓ×１０Ｌａｎｅ回路（２０ａ）で並べ替えられた信号、ＯＤＴＵ４．３１多重回路（４０ａ）で処理された信号又はＯＤＴＵ４．８多重回路（４２ａ）で処理された信号に対してＩＴＵ−Ｔ勧告Ｇ．７０９に規定されたＯＴＵ４／ＯＤＵ４／ＯＰＵ４のマッピング処理を行う。ＯＴＵ４マッピング回路（６０ａ）によりマッピング処理された信号は１００Ｇｂｐｓ出力ＩＦ（１４ａ）から出力される。また、ＯＴＵ４デマッピング回路（６０ｂ）は、１００Ｇｂｐｓ入力ＩＦ（１４ｂ）から入力されたライン信号に対してＩＴＵ−Ｔ勧告Ｇ．７０９に規定されたＯＴＵ４／ＯＤＵ４／ＯＰＵ４のデマッピング処理を行う。ＯＴＵ４デマッピング回路（６０ｂ）によりデマッピング処理された信号は１０Ｇｂｐｓ×１０Ｌａｎｅ回路（２０ｂ）、ＯＤＴＵ４．３１分離回路（４０ｂ）又はＯＤＴＵ４．８分離回路（４２ｂ）でさらに処理される。
【００３８】
セレクタ（７０）は、外部端子（図示しない）からの信号に応答して、１０Ｇｂｐｓ×１０Ｌａｎｅ回路（２０ｂ）又はＯＤＴＵ４．８分離回路（４２ｂ）からの１０Ｇｂｐｓの信号を選択する。
【００３９】
セレクタ（７２）は、外部端子（図示しない）からの信号に応答して、１０Ｇｂｐｓ×１０Ｌａｎｅ回路（２０ｂ）、ＯＤＴＵ４．８分離回路（４２ｂ）又は１０Ｇｂｐｓ×４Ｌａｎｅ回路（３０ｂまたは３２ｂ）からの１０Ｇｂｐｓの信号を選択する。
【００４０】
セレクタ（５０）は、外部端子（図示しない）からの信号に応答して、１０Ｇｂｐｓ×１０Ｌａｎｅ回路（２０ａ）、ＯＤＴＵ４．８多重回路（４２ａ）又はＯＤＴＵ４．３１多重回路（４０ａ）の出力信号を選択する。
【００４１】
図１及び２に示す送受信用集積回路は、１チップで実現された送信用集積回路及び受信用集積回路として用いることができる。
【００４２】
以上説明したように、本発明によれば、同一の入出力ＩＦから各種ビットレートのクライアント信号を入出力するようにすることで、より少ない数の入出力ＩＦを備えた集積回路で、複数種のクライアント信号を収容するトランスポンダを実現する集積回路を提供することができる。本実施形態の送受信用集積回路によれば、例えば、１０Ｇｂｐｓクライアント信号を収容する１００Ｇｂｐｓのトランスポンダと、４０Ｇｂｐｓのクライアント信号を収容する１００Ｇｂｐｓのトランスポンダと、１００Ｇｂｐｓのクライアント信号を収容する１００Ｇｂｐｓのトランスポンダとを実現することが可能になる。
【実施例１】
【００４３】
図１に示す送受信用集積回路（１００）は、送信用集積回路（１００ａ）と受信用集積回路（１００ｂ）から構成される。送信用集積回路（１００ａ）は、上記で説明した１０個の１０Ｇｂｐｓ入出力Ｉ／Ｆ（１０ａ）を、１つの１００Ｇｂｐｓ、１つの４０Ｇｂｐｓ、又は１〜１０の１０Ｇｂｐｓのクライアント信号を入力するために共用する構成である。送信用集積回路（１００ａ）は、上記で説明した１０Ｇｂｐｓ入力Ｉ／Ｆ（１０ａ）の他に、４０Ｇｂｐｓのクライアント信号を入力するための４０Ｇｂｐｓ入力Ｉ／Ｆ（１２ａ）を１つ備える。４０Ｇｂｐｓ入力Ｉ／Ｆは、図３に示すように４０Ｇｂｐｓのクライアント信号を並列に入力するためのビットレートが１０Ｇｂｐｓの１０Ｇｂｐｓ入力Ｉ／Ｆを４つと、並列に入力された１０Ｇｂｐｓの信号を並べ替える１０Ｇｂｐｓ×４Ｌａｎｅとを備えるように構成することができる。４０Ｇｂｐｓのクライアント信号を並列に入力するためのビットレートが２．５Ｇｂｐｓの２．５Ｇｂｐｓ入力Ｉ／Ｆを１６個と、並列に入力された２．５Ｇｂｐｓの信号を並べ替える２．５Ｇｂｐｓ×１６Ｌａｎｅとを備えように構成することができる。
【００４４】
ＯＤＴＵ４．８多重回路（４２ａ）は、１０Ｇｂｐｓ入力Ｉ／Ｆ（１０ａ）からの１０個の信号を多重処理する。
【００４５】
ＯＤＴＵ４．３１多重回路（４０ａ）は、４０Ｇｂｐｓ入力Ｉ／Ｆ（１２ａ）からの信号と１０Ｇｂｐｓ×４Ｌａｎｅ（３０ａ）によって処理された信号を多重し、ＩＴＵ−Ｔ勧告Ｇ．７０９に規定されたＯＤＴＵＧ４／ＯＤＴＵ４．３１のマッピング処理を行う。
【００４６】
セレクタ５０は、１０Ｇｂｐｓ×１０Ｌａｎｅ回路（２０ａ）、ＯＤＴＵ４．８多重回路（４２ａ）又はＯＤＴＵ４．３１多重回路（４０ａ）の出力信号を選択し、選択された信号は、ＯＴＵ４マッピング回路（６０ａ）でマッピング処理された後、１００Ｇｂｐｓ高速Ｉ／Ｆ（１４ａ）に出力される。
【００４７】
受信用集積回路（１００ｂ）は、ライン信号を入力するための１００Ｇｂｐｓ入力Ｉ／Ｆ（１４ｂ）を備える。１００Ｇｂｐｓ入力Ｉ／Ｆ（１４ｂ）へ入力される１００Ｇｂｐｓライン信号は上述した送信用集積回路（１００ａ）で出力された種類の１００Ｇｂｐｓ信号である。１００Ｇｂｐｓ入力Ｉ／Ｆ（１４ｂ）へ入力された１００Ｇｂｐｓの信号は、ＯＴＵ４デマッピング回路（６０ｂ）によりデマッピング処理され、（１）１０Ｇｂｐｓ×１０Ｌａｎｅ（２０ｂ）へ出力されるか、（２）ＯＤＴＵ４．３１分離回路（４０ｂ）へ出力され信号分離されて１０Ｇｂｐｓ×４Ｌａｎｅ回路（３０ｂ）と４０Ｇｂｐｓ出力Ｉ／Ｆ（１２ｂ）へ出力されるか、（３）ＯＤＴＵ４．８分離回路（４２ｂ）へ出力され信号分離される。
【００４８】
セレクタ（７０−１〜７０−６）は、１０Ｇｂｐｓ×１０Ｌａｎｅ（２０ｂ）からの１０Ｇｂｐｓ信号又はＯＤＴＵ４．８分離回路（４２ｂ）からの１０Ｇｂｐｓ信号を選択し、１０Ｇｂｐｓ出力Ｉ／Ｆ（１０ｂ−１〜１０ｂ−６）へ出力する。
【００４９】
セレクタ（７２−１〜７２−４）は、１０Ｇｂｐｓ×１０Ｌａｎｅ（２０ｂ）からの１０Ｇｂｐｓ信号、ＯＤＴＵ４．８分離回路（４２ｂ）からの１０Ｇｂｐｓ信号又は１０Ｇｂｐｓ×４Ｌａｎｅ回路（３０ｂ）からの１０Ｇｂｐｓ信号を選択し、１０Ｇｂｐｓ出力Ｉ／Ｆ（１０ｂ−７〜１０ｂ−１０）へ出力する。
【００５０】
受信用集積回路（１００ｂ）は、１０個の１０Ｇｂｐｓ出力Ｉ／Ｆ（１０ｂ−１〜１０ｂ−１０）を、１０Ｇｂｐｓ×１０Ｌａｎｅ回路（２０ｂ）から出力された１０Ｇｂｐｓ信号、ＯＤＴＵ４．８分離回路（４２ｂ）から出力された１０Ｇｂｐｓ信号又は１０Ｇｂｐｓ×４Ｌａｎｅ回路（３０ｂ）から出力された１０Ｇｂｐｓ信号をクライアントへ出力するために共用する構成である。
【００５１】
本実施例においては、４０Ｇｂｐｓのクライアント信号専用の入出力Ｉ／Ｆ（１２）を２つ備える代わりに、１０個の１０Ｇｂｐｓ入出力ＩＦのうちの４個（１０−７〜１０−１０）を４０Ｇｂｐｓのクライアント信号を入出力するために用いる。これにより、送受信用集積回路（１００）における入出力ＩＦの数を減らすことと、４０Ｇｂｐｓのクライアント信号の入出力形式のバリエーションを増やすこととを同時に実現することができる。
【実施例２】
【００５２】
図２に示す送受信用集積回路（２００）は、送信用集積回路（２００ａ）と受信用集積回路（２００ｂ）から構成される。送信用集積回路（２００ａ）は、上記で説明した１０個の１０Ｇｂｐｓ入力Ｉ／Ｆ（１０ａ）を、１つの１００Ｇｂｐｓ、２つの４０Ｇｂｐｓ、又は１〜１０の１０Ｇｂｐｓのクライアント信号を入力するために共用する構成である。１０個の１０Ｇｂｐｓ入力Ｉ／Ｆ（１０ａ）のうちの８個を２つの４０Ｇｂｐｓのクライアント信号を並列に入力するために用いる構成である。
【００５３】
送信用集積回路（２００ａ）の構成は、図１に示す送受信用集積回路（１００ａ）と対比すると、図１の４０ＧｂｐｓＩ／Ｆ（１２ａ）を配置せずに、集積回路内に１０Ｇｂｐｓ×４Ｌａｎｅ（３２ａ）を配置した点で異なる。
【００５４】
送信用集積回路（２００ａ）は、上記で説明した１０Ｇｂｐｓ入力Ｉ／Ｆ（１０ａ）を備える。
【００５５】
ＯＴＤＵ４．８多重回路（４２ａ）は、１０Ｇｂｐｓ入力１／Ｆ（１０ａ）からの１０個の信号を多重処理する。
【００５６】
ＯＤＴＵ４．３１多重（４０ａ）は、２つの１０Ｇｂｐｓ×４Ｌａｎｅ（３０ａ，３２ａ）によって処理された２つの４０Ｇｂｐｓのクライアント信号に対してＩＴＵ−Ｔ勧告Ｇ．７０９に規定されたＯＤＴＵＧ４／ＯＤＴＵ４．３１の多重、マッピング処理を行う。
【００５７】
セレクタ（５０）は、１０Ｇｂｐｓ×１０Ｌａｎｅ回路（２０ａ）、ＯＤＴＵ４．８多重回路（４２ａ）又はＯＤＴＵ４．３１多重回路（４０ａ）の出力信号を選択し、選択された信号は、ＯＴＵ４マッピング回路（６０ａ）でマッピング処理された後、１００Ｇｂｐｓ高速Ｉ／Ｆ（１４ａ）に出力される。
【００５８】
受信用集積回路（２００ｂ）の構成は、図１に示す受信用集積回路（１００ｂ）と対比すると、図１の４０ＧｂｐｓＩ／Ｆ（１２ｂ）を除去し、集積回路内に１０Ｇｂｐｓ×４Ｌａｎｅ（３２ｂ）を配置した点で異なる。
【００５９】
受信用集積回路（２００ｂ）は、ライン信号を入力するための１００Ｇｂｐｓ入力Ｉ／Ｆ（１４ｂ）を備える。１００Ｇｂｐｓ入力Ｉ／Ｆ（１４ｂ）へ入力される１００Ｇｂｐｓライン信号は上述した送信用集積回路（２００ａ）で出力された種類の１００Ｇｂｐｓ信号である。１００Ｇｂｐｓ入力Ｉ／Ｆ（１４ｂ）へ入力された１００Ｇｂｐｓの信号は、ＯＴＵ４デマッピング回路（６０ｂ）によりデマッピング処理され、（１）１０Ｇｂｐｓ×１０Ｌａｎｅ（２０ｂ）へ出力されるか、（２）ＯＤＴＵ４．３１分離回路（４０ｂ）へ出力され信号分離されて２つの１０Ｇｂｐｓ×４Ｌａｎｅ回路（３０ｂ，３２ｂ）へ出力されるか、（３）ＯＤＴＵ４．８分離回路（４２ｂ）へ出力され信号分離される。
【００６０】
セレクタ（７０−１〜７０−２）は、１０Ｇｂｐｓ×１０Ｌａｎｅ（２０ｂ）から１０Ｇｂｐｓ信号又はＯＤＴＵ４．８分離回路（４２ｂ）からの１０Ｇｂｐｓ信号を選択し、１０Ｇｂｐｓ出力Ｉ／Ｆ（１０ｂ−１〜１０ｂ−２）へ出力する。
【００６１】
セレクタ（７２−１〜７２−８）は、１０Ｇｂｐｓ×１０Ｌａｎｅ（２０ｂ）からの１０Ｇｂｐｓ信号、ＯＤＴＵ４．８分離回路（４２ｂ）からの１０Ｇｂｐｓ信号又は２つの１０Ｇｂｐｓ×４Ｌａｎｅ回路（３０ｂ，３２ｂ）からの１０Ｇｂｐｓ信号を選択し、１０Ｇｂｐｓ出力Ｉ／Ｆ（１０ｂ−３〜１０ｂ−１０）へ出力する。
【００６２】
受信用集積回路（２００ｂ）は、１０個の１０Ｇｂｐｓ出力Ｉ／Ｆ（１０ｂ−１〜１０ｂ−１０）を、１０Ｇｂｐｓ×１０Ｌａｎｅ回路（２０ｂ）から出力された１０Ｇｂｐｓ信号、ＯＤＴＵ４．８分離回路（４２ｂ）から出力された１０Ｇｂｐｓ信号又は２つの１０Ｇｂｐｓ×４Ｌａｎｅ回路（３０ｂ，３２ｂ）から出力された１０Ｇｂｐｓ信号をクライアントへ出力するために共用する構成である。
【００６３】
本実施例においては、４０Ｇｂｐｓのクライアント信号の入出力形式のバリエーションは１つとなるが、送受信用集積回路（２００）における入出力ＩＦの数をさらに減らすことができる。
【実施例３】
【００６４】
上記実施例１及び２に示した送受信用集積回路によれば、同一の入出力インターフェース（ＩＦ）を介してビットレートが１０Ｇｂｐｓ、４０Ｇｂｐｓ又は１００Ｇｂｐｓのクライアント信号を入出力して、１０Ｇｂｐｓクライアント信号を収容する１００Ｇｂｐｓのトランスポンダ、４０Ｇｂｐｓのクライアント信号を収容する１００Ｇｂｐｓのトランスポンダ、又は１００Ｇｂｐｓのクライアント信号を収容する１００Ｇｂｐｓのトランスポンダを実現することが可能になる。
【００６５】
図１及び２の送受信用集積回路は、同一の入出力インターフェース（ＩＦ）を介してビットレートが１０Ｇｂｐｓ又は１００Ｇｂｐｓのクライアント信号を入出力するように構成してもよい。すなわち、図１及び２の送受信用集積回路を４０Ｇｂｐｓのクライアント信号をサポートしない構成としてもよい。
【００６６】
図１の送受信用集積回路の場合、図１（ａ）の送信用集積回路（１００ａ）において、集積回路内に１０Ｇｂｐｓ×４Ｌａｎｅ（３０ａ）及びＯＤＴＵ４．３１多重回路（４０ａ）並びに４０ＧｂｐｓＩ／Ｆ（１２ａ）を配置せず、セレクタ（５０）が１０Ｇｂｐｓ×１０Ｌａｎｅ回路（２０ａ）又はＯＤＴＵ４．８多重回路（４２ａ）の出力信号を選択するように構成すればよい。同様に、図１（ｂ）の受信用集積回路（１００ｂ）において、集積回路内に１０Ｇｂｐｓ×４Ｌａｎｅ（３０ｂ）及びＯＤＴＵ４．３１分離回路（４０ｂ）並びに４０ＧｂｐｓＩ／Ｆ（１２ｂ）を配置せず、セレクタ（７２−１〜７２−４）が１０Ｇｂｐｓ×１０Ｌａｎｅ回路（２０ｂ）又はＯＤＴＵ４．８分離回路（４２ｂ）の出力信号を選択するように構成すればよい。
【００６７】
図２の送受信用集積回路の場合、図２（ａ）の送信用集積回路（２００ａ）において、集積回路内に２つの１０Ｇｂｐｓ×４Ｌａｎｅ（３０ａ，３２ａ）及びＯＤＴＵ４．３１多重回路（４０ａ）を配置せず、セレクタ（５０）が１０Ｇｂｐｓ×１０Ｌａｎｅ回路（２０ａ）又はＯＤＴＵ４．８多重回路（４２ａ）の出力信号を選択するように構成すればよい。同様に、図２（ｂ）の受信用集積回路（２００ｂ）において、集積回路内に２つの１０Ｇｂｐｓ×４Ｌａｎｅ（３０ｂ，３２ｂ）及びＯＤＴＵ４．３１分離回路（４０ｂ）を配置せず、セレクタ（７２−１〜７２−８）が１０Ｇｂｐｓ×１０Ｌａｎｅ回路（２０ｂ）又はＯＤＴＵ４．８分離回路（４２ｂ）の出力信号を選択するように構成すればよい。
【００６８】
本実施例の送受信用集積回路は、同一の入出力インターフェース（ＩＦ）を介してビットレートが１０Ｇｂｐｓ又は１００Ｇｂｐｓのクライアント信号を入出力するように構成され、１０Ｇｂｐｓクライアント信号を収容する１００Ｇｂｐｓのトランスポンダ又は１００Ｇｂｐｓのクライアント信号を収容する１００Ｇｂｐｓのトランスポンダを実現することを可能とする。
【実施例４】
【００６９】
図１及び２の送受信用集積回路は、同一の入出力インターフェース（ＩＦ）を介してビットレートが４０Ｇｂｐｓ又は１００Ｇｂｐｓのクライアント信号を入出力するように構成してもよい。すなわち、図１及び２の送受信用集積回路を１０Ｇｂｐｓのクライアント信号をサポートしない構成としてもよい。
【００７０】
図１の送受信用集積回路の場合、図１（ａ）の送信用集積回路（１００ａ）において、集積回路内にＯＤＴＵ４．８多重回路（４２ａ）を配置せず、１０Ｇｂｐｓ×１０Ｌａｎｅ回路（２０ａ）又はＯＤＴＵ４．３１多重回路（４０ａ）の出力信号を選択するようにセレクタ（５０）を構成すればよい。同様に、図１（ｂ）の受信用集積回路（１００ｂ）において、集積回路内にＯＤＴＵ４．８分離回路（４２ｂ）を配置せず、セレクタ（７０−１〜７０−６）が１０Ｇｂｐｓ×１０Ｌａｎｅ回路（２０ｂ）の出力信号のＯＮ／ＯＦＦするようにし、さらにセレクタ（７２−１〜７２−４）が１０Ｇｂｐｓ×１０Ｌａｎｅ回路（２０ｂ）又は１０Ｇｂｐｓ×４Ｌａｎｅ回路（３０ｂ）の出力信号を選択するように構成すればよい。
【００７１】
図２の送受信用集積回路の場合、図２（ａ）の送信用集積回路（２００ａ）において、集積回路内にＯＤＴＵ４．８多重回路（４２ａ）を配置せず、セレクタ（５０）が１０Ｇｂｐｓ×１０Ｌａｎｅ回路（２０ａ）又はＯＤＴＵ４．３１多重回路（４０ａ）の出力信号を選択するように構成すればよい。同様に、図２（ｂ）の受信用集積回路（２００ｂ）において、集積回路内にＯＤＴＵ４．８分離回路（４２ｂ）を配置せず、セレクタ（７０−１〜７０−２）が１０Ｇｂｐｓ×１０Ｌａｎｅ回路（２０ｂ）の出力信号のＯＮ／ＯＦＦするようにし、さらにセレクタ（７２−１〜７２−８）が１０Ｇｂｐｓ×１０Ｌａｎｅ回路（２０ｂ）又はＯＤＴＵ４．３１分離回路（４０ｂ）の出力信号を選択するように構成すればよい。
【００７２】
本実施例の送受信用集積回路は、同一の入出力インターフェース（ＩＦ）を介してビットレートが４０Ｇｂｐｓ又は１００Ｇｂｐｓのクライアント信号を入出力するように構成され、４０Ｇｂｐｓクライアント信号を収容する１００Ｇｂｐｓのトランスポンダ又は１００Ｇｂｐｓのクライアント信号を収容する１００Ｇｂｐｓのトランスポンダを実現することを可能とする。
【符号の説明】
【００７３】
１０ａ−１〜１０ａ−１０，１０ｂ−１〜１０ｂ−１０  １０Ｇｂｐｓ入出力Ｉ／Ｆ
１２ａ，２０ｂ  ４０Ｇｂｐｓ入出力Ｉ／Ｆ
１４ａ，１４ｂ  １００Ｇｂｐｓ入出力Ｉ／Ｆ
２０ａ，２０ｂ  １０Ｇｂｐｓ×１０Ｌａｎｅ回路
３０ａ，３０ｂ，３２ａ，３２ｂ  １０Ｇｂｐｓ×４Ｌａｎｅ回路
４０ａ／４０ｂ  ＯＤＴＵ４．３１多重／分離回路
４２ａ／４２ｂ  ＯＤＴＵ４．８多重／分離回路
５０，７０，７２  セレクタ（ＳＥＬ）
６０ａ／６０ｂ  ＯＴＵ４マッピング／デマッピング回路
１００，２００  送受信用集積回路
【図１】
2014096710.tif 000003
【図２】
2014096710.tif 000004
【図３】
2014096710.tif 000005
【手続補正書】
【提出日】平成25年7月4日(2013.7.4)
【手続補正１】
【補正対象書類名】明細書
【補正対象項目名】００１３
【補正方法】変更
【補正の内容】
【００１３】
本発明は、このような目的を達成するために、請求項１に記載の発明は、送受信用集積回路（１００，２００）であって、クライアント信号を入出力するための、各々のビットレートがＭＧｂｐｓのｎ個のＭＧｂｐｓ入出力インターフェース（１０ａ，１０ｂ）と、ライン信号を入出力するための、ビットレートがＮＧｂｐｓのＮＧｂｐｓ入出力インターフェース（１４ａ，１４ｂ）と、前記ｎ個のＭＧｂｐｓ入出力インターフェースを介して入出力されるビットレートがｎ×ＭＧｂｐｓのクライアント信号と前記ライン信号との間の信号変換を行う第１の信号変換手段（２０ａ／２０ｂ，６０ａ／６０ｂ）と、前記ｎ個のＭＧｂｐｓ入出力インターフェースを介して入出力されるビットレートがｎ×ＭＧｂｐｓより小さいクライアント信号と前記ライン信号との間の信号変換を行う第２の信号変換手段と、前記第１の信号変換手段又は前記第２の信号変換手段を選択する選択手段（７０，７２，５０）とを備えたことを特徴とする。
【手続補正２】
【補正対象書類名】明細書
【補正対象項目名】００１５
【補正方法】変更
【補正の内容】
【００１５】
請求項３に記載の発明は、送受信用集積回路（１００，２００）であって、クライアント信号を入出力するための、各々のビットレートがＭＧｂｐｓのｎ個のＭＧｂｐｓ入出力インターフェース（１０ａ，１０ｂ）と、ライン信号を入出力するための、ビットレートがＮＧｂｐｓのＮＧｂｐｓ入出力インターフェース（１４ａ，１４ｂ）と、前記ｎ個のＭＧｂｐｓ入出力インターフェースを介して入出力されるビットレートがｎ×ＭＧｂｐｓのクライアント信号と前記ライン信号との間の信号変換を行う第１の信号変換手段（２０ａ／２０ｂ，６０ａ／６０ｂ）と、前記ｎ個のＭＧｂｐｓ入出力インターフェースのうちのｎ個以下を介して入出力されるビットレートがＭＧｂｐｓのｎ個以下クライアント信号と前記ライン信号との間の信号変換を行う第３の信号変換手段（４２ａ／４２ｂ，６０ａ／６０ｂ）と、前記第１の信号変換手段又は前記第３の信号変換手段を選択する選択手段（７０，７２，５０）とを備えたことを特徴とする。
請求項４に記載の発明は、送受信用集積回路（１００，２００）であって、クライアント信号を入出力するための、各々のビットレートがＭＧｂｐｓのｎ個のＭＧｂｐｓ入出力インターフェース（１０ａ，１０ｂ）と、
ライン信号を入出力するための、ビットレートがＮＧｂｐｓのＮＧｂｐｓ入出力インターフェース（１４ａ，１４ｂ）と、前記ｎ個のＭＧｂｐｓ入出力インターフェースを介して入出力されるビットレートがｎ×ＭＧｂｐｓより小さいクライアント信号と前記ライン信号との間の信号変換を行う第２の信号変換手段（３０ａ／３０ｂ，４０ａ／４０ｂ，６０ａ／６０ｂ）と、前記ｎ個のＭＧｂｐｓ入出力インターフェースのうちのｎ個以下を介して入出力されるビットレートがＭＧｂｐｓのｎ個以下のクライアント信号と前記ライン信号との間の信号変換を行う第３の信号変換手段（４２ａ／４２ｂ，６０ａ／６０ｂ）と、前記第２の信号変換手段又は前記第３の信号変換手段を選択する選択手段（７０，７２，５０）とを備えたことを特徴とする。
【手続補正３】
【補正対象書類名】明細書
【補正対象項目名】００１６
【補正方法】変更
【補正の内容】
【００１６】
請求項５に記載の発明は、送受信用集積回路（１００，２００）であって、クライアント信号を入出力するための、各々のビットレートがＭＧｂｐｓのｎ個のＭＧｂｐｓ入出力インターフェース（１０ａ，１０ｂ）と、ライン信号を入出力するための、ビットレートがＮＧｂｐｓのＮＧｂｐｓ入出力インターフェース（１４ａ，１４ｂ）と、前記ｎ個のＭＧｂｐｓ入出力インターフェースを介して入出力されるビットレートがｎ×ＭＧｂｐｓのクライアント信号と前記ライン信号との間の信号変換を行う第１の信号変換手段（２０ａ／２０ｂ，６０ａ／６０ｂ）と、前記ｎ個のＭＧｂｐｓ入出力インターフェースを介して入出力されるビットレートがｎ×ＭＧｂｐｓより小さいクライアント信号と前記ライン信号との間の信号変換を行う第２の信号変換手段（３０ａ／３０ｂ，４０ａ／４０ｂ，６０ａ／６０ｂ）と、前記ｎ個のＭＧｂｐｓ入出力インターフェースのうちのｎ個以下を介して入出力されるビットレートがＭＧｂｐｓのｎ個以下のクライアント信号と前記ライン信号との間の信号変換を行う第３の信号変換手段（４２ａ／４２ｂ，６０ａ／６０ｂ）と、前記第１の信号変換手段又は前記第２の信号変換手段又は前記第３の信号変換手段を選択する選択手段（７０，７２，５０）とを備えたことを特徴とする。
請求項６に記載の発明は、請求項４又は５に記載の送受信用集積回路（１００，２００）であって、前記第２の信号変換手段は、前記ｎ個のＭＧｂｐｓ入出力インターフェースのうちのａ個を介して入出力されるビットレートがａ×ＭＧｂｐｓのクライアント信号と前記ライン信号との間の信号変換を行う手段（３０ａ／３０ｂ，４０ａ／４０ｂ，６０ａ／６０ｂ）であることを特徴とする。
【手続補正４】
【補正対象書類名】明細書
【補正対象項目名】００１７
【補正方法】変更
【補正の内容】
【００１７】
請求項７に記載の発明は、請求項１、４又は５に記載の送受信用集積回路（１００）であって、前記ｎ個のＭＧｂｐｓ入出力インターフェースとは別に、ビットレートがａ×ＭＧｂｐｓのクライアント信号を入出力するためのａ×ＭＧｂｐｓ入出力インターフェース（１２ａ，１２ｂ）をさらに備え、前記第２の信号変換手段は、前記ｎ個のＭＧｂｐｓ入出力インターフェースのうちのａ個及び前記ａ×ＭＧｂｐｓ入出力インターフェースを介してそれぞれ入出力されるビットレートがａ×ＭＧｂｐｓのクライアント信号と、前記ライン信号との間の信号変換を行う手段（３０ａ／３０ｂ，４０ａ／４０ｂ，６０ａ／６０ｂ）であることを特徴とする。
【手続補正５】
【補正対象書類名】明細書
【補正対象項目名】００１８
【補正方法】変更
【補正の内容】
【００１８】
請求項８に記載の発明は、請求項１、４又は５に記載の送受信用集積回路（２００）であって、前記第２の信号変換手段は、前記ｎ個のＭＧｂｐｓ入出力インターフェースのうちの２ａ個を介して入出力されるビットレートがａ×ＭＧｂｐｓの２つのクライアント信号と前記ライン信号との間の信号変換を行う手段（３０ａ／３０ｂ，３２ａ／３２ｂ，４０ａ／４０ｂ，６０ａ／６０ｂ）を含むことを特徴とする。
【手続補正６】
【補正対象書類名】明細書
【補正対象項目名】００１９
【補正方法】変更
【補正の内容】
【００１９】
請求項９に記載の発明は、請求項１乃至８のいずれかに記載の送受信用集積回路であって、Ｍ＝１０，Ｎ＝１００，ｎ＝１０であることを特徴とする。
【手続補正７】
【補正対象書類名】明細書
【補正対象項目名】００２０
【補正方法】変更
【補正の内容】
【００２０】
請求項１０に記載の発明は、請求項２、６、７又は８に記載の送受信用集積回路であって、Ｍ＝１０，Ｎ＝１００，ｎ＝１０，ａ＝４であることを特徴とする。
【手続補正８】
【補正対象書類名】特許請求の範囲
【補正対象項目名】全文
【補正方法】変更
【補正の内容】
【特許請求の範囲】
【請求項１】
クライアント信号を入出力するための、各々のビットレートがＭＧｂｐｓのｎ個のＭＧｂｐｓ入出力インターフェースと、
ライン信号を入出力するための、ビットレートがＮＧｂｐｓのＮＧｂｐｓ入出力インターフェースと、
前記ｎ個のＭＧｂｐｓ入出力インターフェースを介して入出力されるビットレートがｎ×ＭＧｂｐｓのクライアント信号と前記ライン信号との間の信号変換を行う第１の信号変換手段と、
前記ｎ個のＭＧｂｐｓ入出力インターフェースを介して入出力されるビットレートがｎ×ＭＧｂｐｓより小さいクライアント信号と前記ライン信号との間の信号変換を行う第２の信号変換手段と、
前記第１の信号変換手段又は前記第２の信号変換手段を選択する選択手段と
を備えたことを特徴とする送受信用集積回路。
【請求項２】
前記第２の信号変換手段は、前記ｎ個のＭＧｂｐｓ入出力インターフェースのうちのａ個を介して入出力されるビットレートがａ×ＭＧｂｐｓのクライアント信号と前記ライン信号との間の信号変換を行う手段であることを特徴とする請求項１に記載の送受信用集積回路。
【請求項３】
クライアント信号を入出力するための、各々のビットレートがＭＧｂｐｓのｎ個のＭＧｂｐｓ入出力インターフェースと、
ライン信号を入出力するための、ビットレートがＮＧｂｐｓのＮＧｂｐｓ入出力インターフェースと、
前記ｎ個のＭＧｂｐｓ入出力インターフェースを介して入出力されるビットレートがｎ×ＭＧｂｐｓのクライアント信号と前記ライン信号との間の信号変換を行う第１の信号変換手段と、
前記ｎ個のＭＧｂｐｓ入出力インターフェースのうちのｎ個以下を介して入出力されるビットレートがＭＧｂｐｓのｎ個以下のクライアント信号と前記ライン信号との間の信号変換を行う第３の信号変換手段と、
前記第１の信号変換手段又は前記第３の信号変換手段を選択する選択手段と
を備えたことを特徴とする送受信用集積回路。
【請求項４】
クライアント信号を入出力するための、各々のビットレートがＭＧｂｐｓのｎ個のＭＧｂｐｓ入出力インターフェースと、
ライン信号を入出力するための、ビットレートがＮＧｂｐｓのＮＧｂｐｓ入出力インターフェースと、
前記ｎ個のＭＧｂｐｓ入出力インターフェースを介して入出力されるビットレートがｎ×ＭＧｂｐｓより小さいクライアント信号と前記ライン信号との間の信号変換を行う第２の信号変換手段と、
前記ｎ個のＭＧｂｐｓ入出力インターフェースのうちのｎ個以下を介して入出力されるビットレートがＭＧｂｐｓのｎ個以下のクライアント信号と前記ライン信号との間の信号変換を行う第３の信号変換手段と、
前記第２の信号変換手段又は前記第３の信号変換手段を選択する選択手段と
を備えたことを特徴とする送受信用集積回路。
【請求項５】
クライアント信号を入出力するための、各々のビットレートがＭＧｂｐｓのｎ個のＭＧｂｐｓ入出力インターフェースと、
ライン信号を入出力するための、ビットレートがＮＧｂｐｓのＮＧｂｐｓ入出力インターフェースと、
前記ｎ個のＭＧｂｐｓ入出力インターフェースを介して入出力されるビットレートがｎ×ＭＧｂｐｓのクライアント信号と前記ライン信号との間の信号変換を行う第１の信号変換手段と、
前記ｎ個のＭＧｂｐｓ入出力インターフェースを介して入出力されるビットレートがｎ×ＭＧｂｐｓより小さいクライアント信号と前記ライン信号との間の信号変換を行う第２の信号変換手段と、
前記ｎ個のＭＧｂｐｓ入出力インターフェースのうちのｎ個以下を介して入出力されるビットレートがＭＧｂｐｓのｎ個以下のクライアント信号と前記ライン信号との間の信号変換を行う第３の信号変換手段と、
前記第１の信号変換手段又は前記第２の信号変換手段又は前記第３の信号変換手段を選択する選択手段と
を備えたことを特徴とする送受信用集積回路。
【請求項６】
前記第２の信号変換手段は、前記ｎ個のＭＧｂｐｓ入出力インターフェースのうちのａ個を介して入出力されるビットレートがａ×ＭＧｂｐｓのクライアント信号と前記ライン信号との間の信号変換を行う手段であることを特徴とする請求項４又は５に記載の送受信用集積回路。
【請求項７】
前記ｎ個のＭＧｂｐｓ入出力インターフェースとは別に、ビットレートがａ×ＭＧｂｐｓのクライアント信号を入出力するためのａ×ＭＧｂｐｓ入出力インターフェースをさらに備え、
前記第２の信号変換手段は、前記ｎ個のＭＧｂｐｓ入出力インターフェースのうちのａ個及び前記ａ×ＭＧｂｐｓ入出力インターフェースを介してそれぞれ入出力されるビットレートがａ×ＭＧｂｐｓのクライアント信号と、前記ライン信号との間の信号変換を行う手段であることを特徴とする請求項１、４又は５に記載の送受信用集積回路。
【請求項８】
前記第２の信号変換手段は、前記ｎ個のＭＧｂｐｓ入出力インターフェースのうちの２ａ個を介して入出力されるビットレートがａ×ＭＧｂｐｓの２つのクライアント信号と前記ライン信号との間の信号変換を行う手段を含むことを特徴とする請求項１、４又は５に記載の送受信用集積回路。
【請求項９】
Ｍ＝１０，Ｎ＝１００，ｎ＝１０であることを特徴とする請求項１乃至８のいずれかに記載の送受信用集積回路。
【請求項１０】
Ｍ＝１０，Ｎ＝１００，ｎ＝１０，ａ＝４であることを特徴とする請求項２、６、７又は８に記載の送受信用集積回路。
【手続補正９】
【補正対象書類名】図面
【補正対象項目名】図１
【補正方法】変更
【補正の内容】
【図１】
2014096710.tif 000006